(57)【要約】【課題】簡単な構成でリモコン機能を付加することができ、また複数機器の制御が可能なリモコン装置を提供せんとするものである。【解決手段】複数の操作スイッチ１０を備えたリモコン１において、既設の一つの操作スイッチ１０に、新たな操作スイッチ６を一体化し、新たな操作スイッチを操作することで、両操作スイッチへ操作力を伝達するようにしている。新たな機器８を付加した場合に、既設の操作スイッチ１０に新たな操作スイッチ６を付加するだけで、既設の機器７及び新たな機器８のリモコン操作を行うことができ、一台のリモコン装置１で複数機器７，８に対応することが可能である。【選択図】  図１
2005136461.tif 000002
【特許請求の範囲】
【請求項１】
複数の操作スイッチを備えたリモコンにおいて、既設の一つの操作スイッチに、新たな操作スイッチを一体化し、新たな操作スイッチを操作することにより、両操作スイッチへ操作力を伝達するようにしたことを特徴とする複数機器のリモコン装置。
【請求項２】
無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとを一つの無線タグとし、当該無線タグを任意の数だけ既存のリモコン本体の操作スイッチに取り付け、当該無線タグを新たな操作スイッチとしたことを特徴とする複数機器のリモコン装置。
【請求項３】
無線タグが、既設のリモコン本体の操作スイッチに重ねて貼着されている請求項２に記載の複数機器のリモコン装置。
【請求項４】
既設の操作スイッチと、新たな操作スイッチとが異なる別々の機器を動作制御するものである請求項１乃至３のいずれか一つに記載の複数機器のリモコン装置。
【発明の詳細な説明】
【技術分野】
【０００１】
本発明は、既設のリモコン本体の操作スイッチに、新たな操作スイッチを一体化して取り付け、複数機器を操作できるようにしたリモコン装置に関するものである。
【背景技術】
【０００２】
最近では、家電機器の殆どがリモートコントローラ（以下は、リモコンという）によって操作されるようになっており、リモコン装置の数が増えてその管理が大変であり、また使用するときに該当するリモコンの選択に戸惑うことがあった。
そのため、従来においては、特許文献１及び２に記載されているように、一つのリモコン装置で複数の家電機器を操作できるようにした技術が開発されている。
【０００３】
特許文献１に記載された技術は、機器の選択押釦スイッチ及び共通機能押釦スイッチ等の操作釦入力部と、最後に操作した動作状態を記憶する記憶部とを有している。そして、新たに操作釦入力部の操作が行われると、操作しようとする機器の動作状態を予測し、この予測と、記憶していた最後の動作状態とを比較し、リモコンコードを決定するようにしている。これにより、複数機器を同時に適切な操作で行うようにしている。
【０００４】
特許文献２に記載された技術では、複数機器のそれぞれに異なる識別信号を送出する機器を取り付け、リモコンをある機器に向けると、リモコンで受信される各機器の識別信号は向けられた機器のものが高レベルとなる。リモコンは、高レベルの識別信号からその向けられた対象機器を判断し、その対象機器用にリモコンの各キーの機能を切り換え、当該機器に対応したリモコン操作が行えるようにしている。
【特許文献１】特開２００３−８７８８０号公報
【特許文献２】特開平８−２７５２５９号公報
【発明の開示】
【発明が解決しようとする課題】
【０００５】
ところが、特許文献１に記載されたリモコン装置では、機器の選択押釦スイッチと、共通機能押釦スイッチとを必要としており、基本的には共通する動作については共通する押釦スイッチを使用しようとする考え方である。これであると、先ず、使用する機器を選択することが必要であり、共通化のためのプログラムも必要であり、またそのプログラムも複雑化する等の欠点があった。
【０００６】
一方、特許文献２に記載されたリモコン装置では、各機器に専用の識別信号送出手段が必要であり、またリモコンでどの機器からの信号が高レベルであるかを判断した後は、リモコン自体のキーの機能を当該機器に対応すべく切り換える必要があった。そのため、リモコン自体に大規模な演算処理装置及び記憶装置を備えたマイコンが必要であり、各機器の機能ごとのプログラム及びこれらを切り換えるための複雑なプログラムが必要であり、リモコン装置の全体が大掛かりなものとなっていた。
【０００７】
本発明は従来の前記課題に鑑みてこれを改良除去したものであって、簡単な構成でリモコン機能を付加することができ、また複数機器の制御が可能なリモコン装置を提供せんとするものである。
【課題を解決するための手段】
【０００８】
前記課題を解決するために本発明が採用した請求項１の手段は、複数の操作スイッチを備えたリモコンにおいて、既設の一つの操作スイッチに、新たな操作スイッチを一体化し、新たな操作スイッチを操作することにより、両操作スイッチへ操作力を伝達するようにしたことを特徴とする複数機器のリモコン装置である。
【０００９】
また前記課題を解決するために本発明が採用した請求項２の手段は、無線電波を受信するアンテナと、無線電波を受信して電源の供給を受け、この電源を利用してデータをアンテナから送信する無線タグＩＣと、当該無線タグＩＣのデータの送信をＯＮ／ＯＦＦ制御するスイッチとを一つの無線タグとし、当該無線タグを任意の数だけ既存のリモコン本体の操作スイッチに取り付け、当該無線タグを新たな操作スイッチとしたことを特徴とする複数機器のリモコン装置である。
【００１０】
更に、本発明が採用した請求項３の手段は、無線タグが、既設のリモコン本体の操作スイッチの操作入力部に重ねて貼着されている請求項２に記載の複数機器のリモコン装置である。
【００１１】
更にまた、本発明が採用した請求項４の手段は、既設の操作スイッチと、新たな操作スイッチとが異なる別々の機器を動作制御するものである請求項１乃至３のいずれか一つに記載の複数機器のリモコン装置である。
【発明の効果】
【００１２】
請求項１の発明にあっては、新たな機器を付加した場合に、既設の操作スイッチに新たな操作スイッチを付加するだけで、リモコン操作を行うことができ、一台のリモコン装置で複数機器に対応することが可能である。
【００１３】
請求項２の発明にあっては、新たな操作スイッチが無線タグであるため、無線タグのスイッチを閉成すると、リーダ側からの無線電波を受信して電源の供給を受け、無線タグＩＣが記憶していたデータを無線インターフエースでアンテナからリーダ側へ送信する。従って、新たな操作スイッチは、電源及び配線が不要であり、データの送信によって新たな機器のリモコン操作が可能である。既設の機器の操作スイッチにおいては、今まで通りのリモコン操作が可能である。
【００１４】
請求項３の発明にあっては、無線タグを既設の操作スイッチに貼付するだけであり、新たな機器に対するリモコン機能の付加が極めて容易に実現できる。
【００１５】
請求項４の発明にあっては、既設の操作スイッチで既設の機器を操作でき、新たな操作スイッチで新たな機器を操作できるので、既設のリモコン装置を改良することなく新たな操作スイッチを付加するのみで複数機器のリモコン装置を構成でき、複数機器のリモコン装置の構成が容易である。
【発明を実施するための最良の形態】
【００１６】
以下に、本発明の構成を図面に示す発明の実施の形態に基づいて説明すると次の通りである。図１及び図２は本発明の第１の実施の形態に係るリモコン装置１を示すものであり、図１は同装置１の全体構成を示すブロック図、図２は同装置１の電気回路構成を示す図面である。同図に示す如く、この実施の形態のリモコン装置１は、既設の給湯機７のリモコン装置２に対して、新たに設置したバス乾燥装置８をリモコン操作するための機能を有する無線タグ６を三つ貼付したものである。
【００１７】
無線タグ６は、図２に示すように、無線電波を受信するアンテナ３と、無線電波を受信して電源の供給を受け、この電源を利用してデータをアンテナ３から送信する無線タグＩＣ４と、当該無線タグＩＣ４のデータの送信をＯＮ／ＯＦＦ制御するスイッチ５とから成る。スイッチ５は、リミットスイッチであってもよく、またタッチセンサ、静電容量センサ方式のスイッチであってもよい。
【００１８】
このリモコン装置１の場合、無線タグ６は三つ設けられている。これは、これらの無線タグ６によって制御されるバス乾燥装置８が、電源をＯＮ／ＯＦＦする機能、高温で動作する機能、低温で動作する機能の三つの機能が設けられていることに対応したものであり、それぞれの無線タグ６が各機能を担当するようになっている。無線タグ６とバス乾燥装置８との間の信号のやりとりは、無線タグ６のアンテナ３とバス乾燥装置８のリーダ側アンテナ９とを介して無線電波で行われるように設定されている。
【００１９】
このように構成されたリモコン装置１は、既設のリモコン装置２の各操作スイッチ１０を操作することにより、給湯機７のリモコン操作が可能である。
一方、無線タグ６の一つを押圧操作してそのスイッチ５を閉成すると、リーダ側のアンテナ９から送信された無線電波をアンテナ３が受信し、無線タグＩＣ４の電源回路に動作用の電源を発生させる。そのため、無線タグＩＣ４は記憶されていたデータをアンテナ３から送信し、リーダ側のアンテナ９を介してバス乾燥装置８へ送信する。バス乾燥装置８は、前記無線タグＩＣ４のデータに応じた動作を行うようになる。この場合、電源のＯＮが先であり、次に別の無線タグ６の一つを押圧操作することにより、バス乾燥装置８の動作温度を設定するようになっている。
【００２０】
このようにリモコン装置１の無線タグ６によるバス乾燥装置８のリモコン操作は、給湯機７の既設のリモコン装置２の操作スイッチに対して無線タグ６を貼付するだけで追加でき、その構成が極めて簡単であり、また全体として一つのリモコン装置１で複数の機器をリモコン操作できることになり、使い勝手がよい。
【００２１】
図３は、本発明の第２の実施の形態に係るものである。この実施の形態では、既設の機械式トグルスイッチであるリモコンスイッチ１１の操作摘まみ部に、無線タグ６を貼付している。無線タグ６によるリモコン操作は、既設のリモコンスイッチ１１の操作対象機器とは別に新たに付加された機器であり、そのリモコン操作の作用は前記第１の実施の形態の場合と同じである。
【００２２】
ところで、本発明は上述した実施の形態に限定されるものではなく、適宜の変更が可能である。リモコン装置１は、バス乾燥装置８を新たに付加した機器としてこれをリモコン操作する場合について説明したが、複数の新たな機器を設置した場合であっても、これに対応して既設の機器のリモコン装置に新たな機器をリモコン操作するための無線タグを付加して一つのリモコン装置で複数の機器をリモコン操作することも可能である。
【００２３】
また給湯機７のリモコン装置１において、例えば、新たに付加する機器の機能が浴槽の排水栓を自動的に開閉するための操作スイッチであれば、既設の操作スイッチ１０の上に新たに付加する排水栓を開閉制御するための操作スイッチ（無線タグ）を重ねて貼り付け、これらのスイッチを同時に操作することにより、浴槽への自動湯張りの開始と、排水栓の閉栓とを同時に行うことが可能である。このように既設の操作スイッチに重ねて新たな操作スイッチ（無線タグ）を貼り付けることにより、複数機器の同時操作をも可能とするものである。なお、この場合に、新たなスイッチ（無線タグ）の貼り付けは、無線タグ内臓のシートを、既設のリモコン本体の操作スイッチ部に貼り付けるようにすることで実現することが可能である。
【図面の簡単な説明】
【００２４】
【図１】本発明の第１の実施の形態に係るリモコン装置の全体を示すブロック図である。
【図２】本発明の第１の実施の形態に係るリモコン装置の無線タグの電気回路を示す図面である。
【図３】本発明の第２の実施の形態に係るリモコン装置の斜視図である。
【符号の説明】
【００２５】
１…リモコン装置、２…既設のリモコン装置、３…アンテナ、４…無線タグＩＣ、５…  スイッチ、６…無線タグ、７…給湯機、８…バス乾燥装置、９…リーダ側アンテナ、１  ０…既設リモコン装置の操作スイッチ、１１…機械式のトグルスイッチ
【図１】
2005136461.tif 000003
【図２】
2005136461.tif 000004
【図３】
2005136461.tif 000005